(57)【要約】【課題】網側と移動局装置が基地局装置を介して通信する通信システムで、セルの移行処理、通信状態におけるハンドオーバー処理を簡素化する。【解決手段】移動局装置では、自装置の位置情報を取得し、基地局装置のセルを探索し、探索されたセルについて無線通信の品質情報を検出し、位置情報とセル毎の品質情報を関連付けたデータを網側へ送信し、網側から送信された自装置の位置情報に対応したセル毎の品質情報を受信し、この情報に基づいてセルを選択する。網側では、移動局装置から送信されたデータを受信し、データの内容（或いは、そのデータが加工された結果の内容）を記憶し、移動局装置に対して当該移動局装置の位置情報に対応したセル毎の品質情報を送信する。【選択図】  図１
2011109401.tif 000002
【特許請求の範囲】
【請求項１】
網側と移動局装置が基地局装置を介して通信する通信システムにおいて、
前記移動局装置は、自装置の位置情報を取得する位置情報取得手段と、
基地局装置のセルを探索する探索手段と、
前記探索手段により探索されたセルについて無線通信の品質情報を検出する品質情報検出手段と、
前記位置情報取得手段により取得された位置情報と前記品質情報検出手段により検出されたセル毎の品質情報とを関連付けたデータを前記網側へ送信する品質情報送信手段と、
前記網側から送信された自装置の位置情報に対応したセル毎の品質情報を受信する品質情報受信手段と、
前記品質情報受信手段により受信された自装置の位置情報に対応したセル毎の品質情報に基づいてセルを選択するセル選択手段と、を備え、
前記網側は、前記移動局装置から送信された位置情報とセル毎の品質情報とを関連付けたデータを受信する網側品質情報受信手段と、
前記網側品質情報受信手段により受信されたデータの内容或いはそのデータが加工された結果の内容を記憶する網側品質情報記憶手段と、
前記網側品質情報記憶手段に記憶された内容に基づいて前記移動局装置に対して当該移動局装置の位置情報に対応したセル毎の品質情報を送信する網側品質情報送信手段と、を備えた、
ことを特徴とする通信システム。
【請求項２】
請求項１に記載の通信システムにおいて、
前記網側は、移動局装置の位置に関して設定された複数の位置範囲を記憶する位置範囲記憶手段と、
前記網側品質情報受信手段により複数の移動局装置から受信されたデータに基づいて、前記位置範囲記憶手段に記憶された位置範囲毎に、その位置範囲に含まれる位置情報に対応したセル毎の品質情報をセル毎に平均化して、その結果を前記網側品質情報記憶手段に記憶するデータ加工手段と、を備えた、
ことを特徴とする通信システム。
【発明の詳細な説明】
【技術分野】
【０００１】
本発明は、移動通信システムの移動局装置に関し、特に、セルの移動処理、通信状態におけるハンドオーバー処理を簡素化することが可能な移動局装置に関する。
【背景技術】
【０００２】
移動通信システムでは、基地局装置と移動局装置との間で、信号を無線により通信することが行われる。
図６には、従来技術に係る移動通信システムにおける携帯型等の無線通信端末装置である移動局装置の構成例を示してある。
本例の移動局装置は、無線部１０１、セル探索部１０２、無線品質測定部１０３、ベースバンド変復調部１０４、報知情報取得部１０５、セル選択部１０６、アプリケーションデータ送受信部１０７、主制御部１０８を備えている。
【０００３】
無線部１０１は、基地局装置と移動局装置との間で通信される信号を送受信し、無線周波数帯域の信号とベースバンド帯域の信号との帯域変換を行う。
セル探索部１０２は、ベースバンド帯域に変換された信号から、セルの同定、パスの検出などのセル探索処理を行う。
無線品質測定部１０３は、在圏セル或いはその周辺セルの無線品質（ＲＳＣＰ（コードチャネルあたりの希望波受信電力）やＥｃ／Ｉｏなど）を測定する。
【０００４】
ベースバンド変復調部１０４は、ベースバンド帯域に変換された信号のベースバンド復調処理、及び、無線部１０１を経由して基地局装置経由で網（ネットワーク）側に対してデータを送信するためのベースバンド変調処理を行う。
報知情報取得部１０５は、ベースバンド復調処理されたデータのうち、網側から基地局装置経由で送信された報知情報を取得する。
セル選択部１０６は、報知情報取得部１０５により取得した報知情報及び無線品質測定部１０３により測定した無線品質を用いて、接続すべきセルの選択、移行すべきセルの選択、及びダイバーシチハンドオーバーで追加すべきセルの選択等の処理を行う。
【０００５】
アプリケーションデータ送受信部１０７は、本例の移動局装置が実行する通信アプリケーションに伴うデータ（例えば、ユーザーデータ）の送受信処理を行う。
主制御部１０８は、無線部１０１〜アプリケーションデータ送受信部１０７の各部を統括制御しながら、移動局装置としての呼処理等を実行する。
【０００６】
次に、従来技術に係る移動通信システムの移動局装置により行われる動作の例について説明する。
ここでは、在圏セルが存在しない場合或いは待ち受け中の動作である場合（本明細書では、この場合のモードをアイドルモードと言う）と、通信中の動作である場合（本明細書では、この場合のモードを通信モードと言う）に分けて説明する。
【０００７】
アイドルモード時の動作について説明する。
圏外時は、無線部１０１にある周波数を設定し、セル探索部１０２でセル探索処理を開始する。無線部１０１に設定された周波数に有効な信号が存在すれば、セル探索部１０２で接続候補セルとして検出される。有効な信号の判断方法としては、例えば、検出信号（候補セル）の無線品質測定部１０３における品質測定結果が所定の閾値以上であった場合に有効と判断する方法、などが考えられる。
【０００８】
その後、ベースバンド変復調部１０４により接続候補セルの信号を受信し、報知情報取得部１０５により候補セルの報知情報を取得する。報知情報取得部１０５で取得した報知情報の解析結果から接続可能なセルであると判断した場合には、「圏内」へ状態遷移する。一方、セル探索部１０２で有効な検出が存在しない場合、或いは、報知情報取得部１０５の解析結果から、例えば、工事中セルであるとか、他の事業者のセルであるとかの理由で接続不可能であると判断した場合には、無線部１０１に次の周波数を設定して、以上のような動作を「圏内」へ遷移するまで繰り返して行う。
【０００９】
圏内時は、前記した「接続可能なセル（局）」と判断されたセルを在圏セルとし、周期的に無線部１０１、セル探索部１０２、無線品質測定部１０３を用いて、在圏セルの無線品質の測定を行う。更に、報知情報取得部１０５で取得した在圏セルの報知情報内にある「周辺局情報」に基づいて、同じく周期的に無線部１０１、セル探索部１０２、無線品質測定部１０３を用いて、無線品質の測定を行う。これらの周期的な測定の中で、セル選択部１０６において、仮に在圏セルより周辺セルの方が品質が良いと判断された場合には、在圏セルから周辺セルへ移行する。
【００１０】
通信モード時の動作について説明する。
通信モード時は、無線部１０１に在圏セルの周波数を設定し、ベースバンド変復調部１０４により在圏セルの信号の送受信を行い、アプリケーションデータ送受信部１０７では、アプリケーションデータの送受信を行いながら、網側との通信を行う。通信モードにおいても、在圏セルの無線品質の劣化に備えて探索動作は行われる。この探索動作はアイドルモード時と同様であるが、探索処理の結果として、ハンドオーバー処理や在圏セルの移動が実行される。在圏セルの移動に伴い、新しい在圏セルの報知情報を取得し、通信モード時の処理が継続実行される。
【先行技術文献】
【特許文献】
【００１１】
【特許文献１】特開２００７−２４３８７８号公報
【発明の概要】
【発明が解決しようとする課題】
【００１２】
従来技術に係る移動通信システムの移動局装置に関して、従来技術における動作の問題点について説明する。
アイドルモード時、特に圏内の時には、従来技術においては、例えば報知情報内で報知され得る周辺局の全てを順番に探索するような動作となってしまい、周辺局設定の最初の方に有効なセルが存在すれば短時間で周辺局を検出することができるが、周辺局設定の最後の方に有効セルが存在するときには検出するまでに時間がかかり過ぎるという問題があった。
また、同様に、通信モードにおいても、在圏セルの報知情報の周辺局に登録されているセルの全てを探索しなければならず、周辺局の探索に余計な時間がかかることが考えられる。
【００１３】
本発明は、このような従来の事情、すなわち、従来技術に係る移動通信システムの移動局装置により行われる動作であるセルの移動処理、通信状態におけるハンドオーバー処理に関する欠点に鑑み為されたものであり、セルの移動処理、通信状態におけるハンドオーバー処理を簡素化することが可能な移動通信システムの移動局装置を提供することを目的とする。
【課題を解決するための手段】
【００１４】
上記目的を達成するため、本発明では、網側と移動局装置が基地局装置を介して通信する通信システムにおいて、次のような構成とした。
すなわち、前記移動局装置では、位置情報取得手段が、自装置（当該移動局装置）の位置情報を取得する。探索手段が、基地局装置のセルを探索する。品質情報検出手段が、前記探索手段により探索されたセルについて、無線通信の品質情報を検出する。品質情報送信手段が、前記位置情報取得手段により取得された位置情報と前記品質情報検出手段により検出されたセル毎の品質情報とを関連付けたデータを前記網側へ送信する。品質情報受信手段が、前記網側から送信された自装置（当該移動局装置）の位置情報に対応したセル毎の品質情報を受信する。セル選択手段が、前記品質情報受信手段により受信された自装置（当該移動局装置）の位置情報に対応したセル毎の品質情報に基づいて、セルを選択する。
また、前記網側では、網側品質情報受信手段が、前記移動局装置から送信された位置情報とセル毎の品質情報とを関連付けたデータを受信する。網側品質情報記憶手段が、前記網側品質情報受信手段により受信されたデータの内容（或いは、そのデータが加工された結果の内容）を記憶する。網側品質情報送信手段が、前記網側品質情報記憶手段に記憶された内容に基づいて、前記移動局装置に対して、当該移動局装置の位置情報に対応したセル毎の品質情報を送信する。
従って、例えば、セルの移動処理、通信状態におけるハンドオーバー処理を簡素化することが可能であり、効率化を図ることができる。
【００１５】
ここで、探索手段により探索するセルとしては、任意のものが用いられてもよく、例えば、接続候補のセルや、周辺に存在するセルや、選択機能により選択されたセル、などの１以上を用いることができる。
また、無線通信の品質情報としては、種々なものが用いられてもよく、例えば、２種類以上の品質情報の検出値の組み合わせ（例えば、平均結果など）が用いられてもよい。
【００１６】
また、位置情報としては、種々なものが用いられてもよく、例えば、地図等の平面上の座標位置などを用いることができ、また、必ずしも１点の位置の情報ばかりでなく、所定の範囲（複数の位置を含む範囲）の情報を位置情報として用いることもできる。
また、１つの位置情報に、複数のセルのそれぞれ毎の品質情報が関連付けられることが可能である。なお、１つの位置情報に関連付けられるセルの数が０又は１である場合があってもよい。
【００１７】
また、セル選択手段により選択するセルとしては、任意のものが用いられてもよく、例えば、移行先候補のセル、ハンドオーバーにおける追加するセル或いは削除するセル、などの１以上を用いることができる。
また、移動局装置が自装置の位置情報に対応したセル毎の品質情報に基づいてセルを選択する態様としては、種々なものが用いられてもよく、例えば、自装置の位置情報に対応したセルの全てを選択する態様や、或いは、自装置の位置情報に対応したセルの中から１以上を選択する態様などを用いることができる。
【００１８】
また、網側としては、例えば、網に設けられた装置（例えば、主制御局装置）により各種の制御や処理が行われる。
また、網側では、例えば、同一又は異なる位置について、複数の移動局装置から位置情報とセル毎の品質情報を関連付けたデータを受信してもよく、また、同一又は異なる位置について、１つの移動局装置から位置情報とセル毎の品質情報を関連付けたデータを複数回受信してもよい。
【００１９】
また、移動局装置から網側へ位置情報とセル毎の品質情報を関連付けたデータを送信することは、例えば、網側から移動局装置へ送信される報告依頼に応じて行われる。
また、網側から移動局装置へ位置情報とセル毎の品質情報を関連付けたデータを送信することは、例えば、移動局装置から網側へ送信される当該移動局装置の位置情報を含んだ問い合わせに応じて行われる。
【００２０】
本発明に係る通信システムでは、一構成例として、次のような構成とした。
すなわち、前記網側では、位置範囲記憶手段が、移動局装置の位置に関して設定された複数の位置範囲を記憶する。データ加工手段が、前記網側品質情報受信手段により複数の移動局装置から受信されたデータに基づいて、前記位置範囲記憶手段に記憶された位置範囲毎に、その位置範囲に含まれる位置情報に対応したセル毎の品質情報をセル毎に平均化して、その結果（加工の結果）を前記網側品質情報記憶手段に記憶する。
従って、網側では、複数の移動局装置からのデータに基づいて、位置情報（ここでは、位置範囲の情報）とセル毎の品質情報との対応を生成して記憶し、その情報を移動局装置に提供することができる。
【００２１】
ここで、位置範囲記憶手段としては、例えば、メモリを用いて構成することができる。
また、位置範囲としては、例えば、予め設定されてもよく、或いは、位置範囲を設定する手段が通信システムの網側などに備えられてもよい。
また、複数の位置範囲としては、種々なものが用いられてもよく、例えば、それぞれが同じ（或いは、同程度の）大きさや形状を有する範囲を用いることができる。
【発明の効果】
【００２２】
以上説明したように、本発明に係る通信システムによると、例えば、セルの移動処理、通信状態におけるハンドオーバー処理を簡素化することが可能であり、効率化を図ることができる。
【図面の簡単な説明】
【００２３】
【図１】本発明の一実施例に係る移動通信システムにおける移動局装置の構成例を示す図である。
【図２】無線品質データベースの内容（網側における位置情報と品質情報との関連表）の一例を示す図である。
【図３】アイドルモード時の動作の一例を示す図である。
【図４】アイドルモード時の動作（在圏セル判定処理の動作）の一例を示す図である。
【図５】通信モード時の動作の一例を示す図である。
【図６】従来技術に係る移動通信システムにおける移動局装置の構成例を示す図である。
【図７】通信システムの構成例を示す図である。
【発明を実施するための形態】
【００２４】
本発明に係る実施例を図面を参照して説明する。
まず、通信システムの一例を示す。
図７には、本実施例で用いられる通信システム（移動通信システム）の構成例を示してある。
本例の通信システムは、複数の基地局装置２０１〜２０３、携帯型等の無線通信端末装置である複数の移動局装置２２１〜２２３、網（ネットワーク）２３１、主制御局装置２４１を備えている。
また、図７には、各基地局装置２０１〜２０３の通信エリア（セル）２１１〜２１３を示してある。
【００２５】
ここで、各基地局装置２０１〜２０３は自装置の通信エリア２１１〜２１３に存在する移動局装置２２１〜２２３と無線通信することが可能である。例えば、各基地局装置２０１〜２０３は自装置の配下にある（自装置が通信相手として収容する）移動局装置２２１〜２２３の識別情報などをメモリに記憶して管理し、各移動局装置２２１〜２２３は通信可能な基地局装置２０１〜２０３との無線通信品質などに基づいて実際に通信接続する相手（基地局装置２０１〜２０３）を決定して、ハンドオーバー等を行う。
【００２６】
また、各基地局装置２０１〜２０３は網２３１に接続されており、網２３１には主制御局装置２４１が接続されている。
本例では、網側の制御や処理は主制御局装置２４１により行われ、主制御局装置２４１は、例えば、基地局装置２０１〜２０３を介して移動局装置２２１〜２２３と通信することや、図２に示される無線品質データベースなどの必要な情報を記憶することや、図３〜図５に示されるフローで必要な処理を実行すること、などを行う。
なお、本例では、セルを用いた構成例を示すが、セクタセルの構成など、他の構成が用いられてもよい。
【００２７】
図１には、本発明の一実施例に係る移動通信システムにおける携帯型等の無線通信端末装置である移動局装置の構成例を示してある。
本例の移動局装置は、第１の無線部１、ＬＣＳ（ＬｏＣａｔｉｏｎ  Ｓｅｒｖｉｃｅ：位置情報サービス）測定部２、第２の無線部３、セル探索部４、無線品質測定部５、位置品質データ作成部６、ベースバンド変復調部７、報知情報取得部８、位置品質データ送受信部９、セル選択部１０、アプリケーションデータ送受信部１１、主制御部１２を備えている。
なお、ＬＣＳは、３ＧＰＰ（３ｒｄ  Ｇｅｎｅｒａｔｉｏｎ  Ｐａｒｔｎｅｒｓｈｉｐ  Ｐｒｏｊｅｃｔ）で提唱されている位置情報取得手法である。
【００２８】
本例の移動局装置において行われる動作の一例を示す。
第１の無線部１は、例えばアンテナにより、ＧＰＳ（Ｇｌｏｂａｌ  Ｐｏｓｉｔｉｏｎｉｎｇ  Ｓｙｓｔｅｍ）の無線周波数帯域の信号を受信し、受信信号をベースバンド帯域の信号へ変換して、ＬＣＳ測定部２へ出力する。
ＬＣＳ測定部２は、第１の無線部１から入力された受信したＧＰＳ信号を用いて移動局装置（自装置）の位置情報を取得し、その情報を位置品質データ作成部６へ出力する。
【００２９】
第２の無線部３は、例えばアンテナにより、本例の移動通信システムにおける基地局装置と移動局装置との間で通信される信号を送受信し、無線周波数帯域の信号とベースバンド帯域の信号との帯域変換を行う。具体的には、第２の無線部３は、受信した無線周波数帯域の信号をベースバンド帯域の信号へ帯域変換してセル探索部４やベースバンド変復調部７へ出力し、ベースバンド変復調部７から入力されたベースバンド帯域の信号を無線周波数帯域の信号へ帯域変換して無線により送信する。
【００３０】
セル探索部４は、第１の無線部３から入力されたベースバンド帯域に変換された信号から、セルの同定、パスの検出などのセル探索処理を行い、その結果を無線品質測定部５へ出力する。
無線品質測定部５は、セル探索部４からの入力に基づいて、在圏セル或いはその周辺セルの無線品質（例えば、ＲＳＣＰやＥｃ／Ｉｏなど）を測定し、その結果を位置品質データ作成部６へ出力する。
位置品質データ作成部６は、ＬＣＳ測定部２からの入力及び無線品質測定部５からの入力に基づいて、測定された無線品質と取得した位置情報とを関連付けたものを位置品質データとして作成し、その結果を位置品質データ送受信部９へ出力する。
【００３１】
ベースバンド変復調部７は、ベースバンド帯域に変換された信号のベースバンド復調処理、及び、第２の無線部３を経由して網（ネットワーク）側に対してデータを送信するためのベースバンド変調処理を行う。具体的には、ベースバンド変復調部７は、第２の無線部３から入力されたベースバンド帯域の信号のベースバンド復調処理を行ってその結果を報知情報取得部８や位置品質データ送受信部９やアプリケーションデータ送受信部１１へ出力し、また、位置品質データ送受信部９やアプリケーションデータ送受信部１１から入力されたベースバンド帯域の信号のベースバンド変調処理を行ってその結果を第２の無線部３へ出力する。
【００３２】
報知情報取得部８は、ベースバンド変復調部７からの入力に基づいて、ベースバンド復調処理後のデータのうち、基地局装置から送信された報知情報を取得、解析して、その結果をセル選択部１０へ出力する。
位置品質データ送受信部９は、ベースバンド変復調部７からの入力に基づいて、網側から送信された位置品質データの報告依頼用の制御データを受信し、また、この報告依頼があった場合には、位置品質データ作成部６により作成された位置品質データを網側に送信するためのデータへ変換して、送信するためにベースバンド変復調部７へ出力する。また、位置品質データ送受信部９は、網側に対して位置品質データの問い合わせを行うための制御データを作成して、送信するためにベースバンド変復調部７へ出力し、また、ベースバンド変復調部７からの入力に基づいて、網側から送信された位置品質データを受信して、そのデータをセル選択部１０へ出力する。
【００３３】
セル選択部１０は、報知情報取得部８により取得された報知情報及び位置品質データ送受信部９により得られた網側からの位置品質データを用いて、接続すべきセルの選択、移行すべきセルの選択、及び、ダイバーシチハンドオーバーで追加すべきセルの選択等の処理を行う。
アプリケーションデータ送受信部１１は、本例の移動局装置（自装置）が実行する通信アプリケーションに伴うデータ（例えば、ユーザーデータ）の送受信処理を行う。具体的には、アプリケーションデータ送受信部１１は、送信対象となるデータをベースバンド変復調部７へ出力し、受信されたデータをベースバンド変復調部７から入力する。
主制御部１２は、各部１〜１１と接続されており、各部１〜１１を統括制御しながら、移動局装置としての呼処理等を実行する。
【００３４】
次に、本例の移動通信システム内において移動局装置などにより行われる動作のシーケンスの一例を示す。なお、移動局装置では、主制御部１２により制御されて、主制御部１２及び各部１〜１１により各処理が行われる。
図３及び図４を参照して、アイドルモード時の動作の一例を示す。
図３には、アイドルモード時の動作の処理手順の一例を示してある。
まず、第１の無線部１によりベースバンド帯域に変換されたＧＰＳ信号を用いて、ＬＣＳ測定部２で移動局装置（無線通信端末装置）の位置測定を行う（ステップＳ１）。
次に、第２の無線部３によりベースバンド帯域に変換された無線信号を用いて、セル探索部４で接続候補セル及び周辺セルの探索を行う（ステップＳ２）。
【００３５】
セル探索部４での探索の結果として検出されたセル（ここでは、接続候補セル及び周辺セル）について、無線品質測定部５で例えばＲＳＣＰやＥｃ／Ｉｏなどの無線品質の測定を行う（ステップＳ３）。
位置品質データ作成部６により、無線品質測定部５で測定した無線品質とＬＣＳ測定部２で取得した位置情報との関連付けを行い、位置品質データを作成する（ステップＳ４）。
以上のように、ステップＳ１〜ステップＳ４の処理で、位置品質データの収集を行う。
【００３６】
上記のようにして位置品質データの収集をしつつ、在圏セル判定処理を周期的に行うように、その開始タイミングが到来したか否かを確認する（ステップＳ５）。この結果、在圏セル判定処理の開始タイミングが到来したことを判定した場合には、在圏セル判定処理（ステップＳ６）を実施して、ステップＳ７の処理へ移行する一方、在圏セル判定処理の開始タイミングが到来しなかったことを判定した場合には、ステップＳ７の処理へ移行する。
【００３７】
次に、位置品質データ送受信部９により、網側から位置品質データの報告の依頼を意味する制御データを受信したか否かを確認する（ステップＳ７）。この結果、報告の依頼があったことを判定した場合には、位置品質データ作成部６により作成した位置品質データを、網側に報告するために、位置品質データ送受信部９によりデータ変換等の送信処理を施し、そして、ベースバンド変復調部７、第２の無線部３を経由して、網側へ送信し（ステップＳ８）、ステップＳ１の処理へ戻る。また、ステップＳ７で報告の依頼がなかったことを判定した場合には、ステップＳ１の処理へ戻る。
【００３８】
ここで、網側では、複数の移動局装置に対して位置品質データの報告を要求（依頼）し、それぞれの移動局装置から当該移動局装置の位置に応じた位置品質データが報告される。そして、網側では、これら複数の移動局装置からの位置品質データを集計し、集計した位置品質データから無線品質のデータベース（ＤＢ）を作成する。この無線品質データベースでは、どこの位置に、どのセルが、どれくらいの品質で受信されているのか、という情報が格納される。
また、網側では、周期的に、配下のアイドルモードの移動局装置に対して位置品質データの報告を要求し、最新の位置品質データを取得する。そして、網側では、このデータを用いて無線品質データベースの更新を行う。
更に、網側では、移動局装置側から位置品質データの問い合わせがあった場合には、無線品質データベースを用いて、問い合わせ位置の位置品質データを基地局装置を経由して当該移動局装置へ送信する。
【００３９】
図２には、無線品質データベースの内容の一例として、網側における位置情報と品質情報との関連表の一例を示してある。
本例の無線品質データベースでは、移動局装置の位置情報と、範囲内の局（セル）と、範囲内の局の品質情報とが対応付けられている。
具体的には、位置情報としては、例えば（Ｘ１、Ｙ１）などのように、平面に設けられた直交座標の座標値で表されている。また、範囲内の局は、各位置で受信可能な局（セル）の識別情報を示しており、例えば、位置情報（Ｘ１、Ｙ１）では、局Ａ、局Ｂ、局Ｃからの信号を無線受信可能（検出可能）である。また、品質情報は、各局に対応して１、２、３などの数値で表されており、例えば、数値が大きいほど品質が良好であることを示す。
【００４０】
ここで、位置情報としては、例えば、予め網側でメモリに保持（記憶）している地図情報に基づいて定めることができる。また、位置情報としては、必ずしも各地点毎でなくてもよく、例えば、所定の位置範囲が用いられてもよく、具体例として、位置情報（Ｘ１、Ｙ１）が位置座標（Ｘ１、Ｙ１）の地点を含む所定の範囲（例えば、各基地局装置の通信エリアなど）内を表してもよい。
また、位置情報や品質情報のほかに、それが取得された時刻の情報などが更に対応付けられてもよい。
【００４１】
このように、本例では、ある地点における複数のセルの電波状態を網側で管理しており、例えば、ある地点について、複数のセルの中から、最も良好なセルを抽出することなどができる。
なお、図２に示したものは一例であり、種々なものが用いられてもよい。例えば、品質情報としては、数値が小さいほど品質が良好であるものが用いられてもよく、また、数値以外にも種々なものが用いられてもよい。
【００４２】
図４には、図３における在圏セル判定処理（ステップＳ６）の処理手順の一例を示してある。在圏セル判定処理とは、現在在圏しているセルの無線品質と周辺セルの無線品質を比較し、品質がより良いセルに在圏セルを移行するための処理である。なお、在圏セル判定処理と、網側からのデータ呼び出し処理は、並行して行われている。
まず、第１の無線部１によりベースバンド帯域に変換されたＧＰＳ信号を用いて、ＬＣＳ測定部２で移動局装置（無線通信端末装置）の位置測定を行う（ステップＳ１１）。
【００４３】
位置品質データ送受信部９により、（ステップＳ１１の処理で）ＬＣＳ測定部２により取得した位置の位置品質データの問い合わせを網側に対して行うための制御データを作成し、そして、ベースバンド変復調部７、第２の無線部３を経由して、網側へ送信する（ステップＳ１２）。
すると、網側では、移動局装置側からの位置品質データの問い合わせに応じて、問い合わせ位置の位置品質データを基地局装置を経由して当該移動局装置へ送信する。そして、位置品質データ送受信部９により、網側からの位置品質データを受信する（ステップＳ１３）。
【００４４】
セル選択部１０により、（ステップＳ１３の処理で）位置品質データ送受信部９により得られた位置品質データを用いて、在圏セル以外の移行先候補セルを選択する（ステップＳ１４）。
ここで、網側からの位置品質データは、複数の移動局装置から網側で吸い上げた位置品質情報を元に作成されており、移動局装置が問い合わせた位置から検出可能なセルの情報が品質情報とともに含まれている。この品質情報を確認することで、移行先候補セルの選択精度を高めることが可能になる。
【００４５】
（ステップＳ１４の処理で）セル選択部１０により選択された移行先候補セルは、セル探索部４による探索の結果として検出されたセルによって、無線品質測定部５により例えばＲＳＣＰやＥｃ／Ｉｏなどの無線品質の測定を行う（ステップＳ１５）。つまり、セル選択部１０での選択結果が、セル探索部４による探索や無線品質測定部５による無線品質測定へ反映される。
【００４６】
（ステップＳ１５の処理で）無線品質測定部５により得られた（現在の在圏セル以外のセルの）無線品質と現在の在圏セル（現在圏セル）の無線品質とを比較して、現在圏セルより品質が良好なセルがあるか否かを判定する（ステップＳ１６）。この結果、現在圏セルより品質が良好なセルがあることを判定した場合には、当該セルを現在圏セルとするように、セル移行処理を実施して（ステップＳ１７）、在圏セル判定処理を終了する。また、現在圏セルより品質が良好なセルがないことを判定した場合には、在圏セル判定処理を終了する。
【００４７】
このように、アイドルモード時は、移動局装置では、位置品質データの作成を行うと共に、網側からの要求により位置品質データの報告を行いながら、周期的に在圏セルの判定処理を行い、より品質が良いセルに在圏するように動作する。
【００４８】
図５を参照して、通信モード時の動作の一例を示す。
図５には、通信モード時の動作の処理手順の一例を示してある。
移動通信システムでは、移動局装置の移動に伴う在圏セルの移行が頻繁に行われ、通信中はハンドオーバー状態を経て移動していく。在圏セルの移動をしつつ、主制御部１２により各部１〜１１を統括制御しながら、網側との呼処理などを行いながら、アプリケーションデータ送受信部１１により端末アプリケーション機能による通信処理（データ送受信）等を行う。
【００４９】
通信処理を施した送信データはベースバンド変復調部７、第２の無線部３により無線信号へ変換されて送信され、また、受信された無線信号は第２の無線部３、ベースバンド変復調部７で受信データへ変換され、通信状態が維持される。そして、通信と並行して、セル探索部４、無線品質測定部５により、呼接続中のセルの品質測定を行う（ステップＳ２１）。
【００５０】
呼接続中のセルの無線品質が劣化して所要の品質未満となったか否かを監視する（ステップＳ２２）。この結果、呼接続中のセルの無線品質が所要の品質未満となっていないことを判定した場合には、ステップＳ２１の処理へ戻る。
一方、呼接続中のセルの無線品質が所要の品質未満となったことを判定した場合には、移行先セル若しくはハンドオーバー先セルの探索を行う。
【００５１】
移行先セル若しくはハンドオーバー先セルの探索動作について説明する。
第１の無線部１によりベースバンド帯域に変換されたＧＰＳ信号を用いて、ＬＣＳ測定部２で移動局装置（無線通信端末装置）の位置測定を行う（ステップＳ２３）。
位置品質データ送受信部９により、（ステップＳ２３の処理で）ＬＣＳ測定部２により取得した位置の位置品質データの問い合わせを網側に対して行うための制御データを作成し、そして、ベースバンド変復調部７、第２の無線部３を経由して、網側へ送信する（ステップＳ２４）。
すると、網側では、移動局装置側からの位置品質データの問い合わせに応じて、問い合わせ位置の位置品質データを基地局装置を経由して当該移動局装置へ送信する。位置品質データ送受信部９により、網側からの位置品質データを受信する（ステップＳ２５）。
【００５２】
セル選択部１０により、（ステップＳ２５の処理で）位置品質データ送受信部９により得られた位置品質データを用いて、移行先候補セル若しくはハンドオーバー追加削除セル（以下の処理で、制御対象セルと言う）を選択する（ステップＳ２６）。
（ステップＳ２６の処理で）セル選択部１０により選択された制御対象セルは、セル探索部４による探索の結果として検出されたセルによって、無線品質測定部５により例えばＲＳＣＰやＥｃ／Ｉｏなどの無線品質の測定を行う（ステップＳ２７）。つまり、セル選択部１０での選択結果が、セル探索部４による探索や無線品質測定部５による無線品質測定へ反映される。
【００５３】
（ステップＳ２７の処理で）無線品質測定部５により得られた（呼接続中セル以外のセルの）無線品質と呼接続中セルの無線品質とを比較して、呼接続中セルより品質が良好な制御対象セルがあるか否かを判定する（ステップＳ２８）。この結果、呼接続中セルより品質が良好な制御対象セルがあると判定した場合には、セル移行処理若しくはブランチ追加削除処理を実施して（ステップＳ２９）、ステップＳ２１の処理へ戻る。また、呼接続中セルより品質が良好な制御対象セルがないと判定した場合には、ステップＳ２１の処理へ戻る。
【００５４】
ここで、本例では、制御対象セルが移行先候補セルである場合には、セル移行処理が実施され、また、制御対象セルがハンドオーバー追加削除セル（ハンドオーバー追加セルやハンドオーバー削除セル）である場合には、ブランチ追加削除処理（ブランチ追加処理やブランチ削除処理）が実施される。
【００５５】
このように、通信モード時は、移動局装置では、通常送受信処理及び呼接続セルの品質測定を行いながら、呼接続中セルの品質が所要品質未満となった場合には、移行先セル若しくはハンドオーバー先セルの探索を行い、より品質が良いセルへの移行若しくはブランチ追加、或いは、逆に品質が劣化したセルのブランチ削除を行いつつ、通信状態が維持される。
【００５６】
以上のように、本例の移動通信システムでは、次のような構成とした。
すなわち、移動局装置は、ＧＰＳ信号を受信して当該受信したＧＰＳ信号を用いて位置情報を取得する機能（第１の無線部１、ＬＣＳ測定部２）と、基地局装置と移動局装置との間で通信される信号について無線周波数帯域の信号とベースバンド帯域の信号との帯域変換を行う機能（第２の無線部３）と、基地局装置が構成するセルの無線品質の測定を行う機能（セル探索部４、無線品質測定部５）と、網側から基地局装置を経由して当該移動局装置に対して送信されるデータを復調し、また、当該移動局装置から当該基地局装置を経由して網側に対して送信するデータを変調するための処理を行う機能（ベースバンド変復調部７）と、前記測定された無線品質と前記取得した位置情報とを関連付けて位置品質データを作成する機能（位置品質データ作成部６）と、網側からの位置品質データの報告依頼があった場合に前記作成された位置品質データを網側へ送信する機能（位置品質データ送受信部９）を有する。
【００５７】
また、網側は、複数の移動局装置からの位置品質データを集計する機能と、集計した位置品質データから無線品質データベースを作成及び更新する機能と、移動局装置から位置品質データの問い合わせがあった場合に無線品質データベースを用いて問い合わせ位置の位置品質データを基地局装置を経由して当該移動局装置へ送信する機能を有する。
【００５８】
一構成例として、移動局装置は、在圏セルにおいて待ち受け中である場合に、報知情報で報知される周辺局情報に基づいて在圏セル及び周辺セルの無線品質測定を行いつつ、位置品質データを作成し、網側からの位置品質データの報告依頼があった場合に、作成した位置品質データを網側へ送信する。
一構成例として、移動局装置は、在圏セルにおいて、待ち受け中又は通信中のセルの無線品質劣化に備えて、セル移行すべき他のセル若しくはハンドオーバーすべき他のセルを探索するために、網側に対して、位置品質データの問い合わせを行う。
【００５９】
従って、本例の移動通信システムでは、例えば、従来技術に係る移動局装置の動作の欠点である移行先候補セル若しくはハンドオーバー追加削除候補セルの検出時間がかかってしまうという問題点を解消することができる。具体的には、ＬＣＳを用いて移動局装置の位置を特定し、移動局装置で測定したセルの無線品質と移動局装置の位置とを関連付けたデータ（位置品質データ）を網側へ送信し、網側では各移動局装置からの位置品質データをデータベース化し、また、移動局装置からの問い合わせにより、網側からデータベースに格納されている位置品質データを当該移動局装置へ送信し、移動局装置では、網側への問い合わせの結果である位置品質データを用いて、セルの移行（移動）処理若しくは通信状態（通信中）におけるハンドオーバー処理を迅速化及び簡素化することが可能であり、或いは、移行先候補セルやハンドオーバー候補セルの選択精度を高めることが可能である。
【００６０】
具体例として、本例では、（例えば、１つの基地局装置ばかりではなく、）周辺の複数の基地局装置（セル）の候補の品質の情報を受信することができ、更に、（例えば、単なる場所毎ではなく、）セル毎の品質状況を網側に蓄積することなどができる。
また、本例では、ハンドオーバー等のリセレクション時に候補セルを限定して絞り込むことができる。例えば、在圏データベース（無線品質データベース）により、網側の主制御局装置（主制御部）が移動局装置（無線通信端末装置）に接続局候補（候補セル）を指示して絞り込むことができ、この絞り込んだ情報として、位置情報と品質情報とを関連付けた情報を利用することができ、一例として、このデータベースを用いないと６４局などある基地局装置（セル）の中で、このデータベースを用いることにより３局などに（自動的に）絞り込むことができる。
【００６１】
網側の主制御局装置では、把握されている複数の移動局装置の位置情報と品質情報を収集して、データベース化することや、位置情報と品質情報を随時更新することを行い、移動局装置のハンドオーバー時などに、移動局装置との接続候補局（セル）を主制御局装置がデータベースを基に指示することにより、移動局装置がハンドオーバー時などに最適な局に短時間で接続することを可能とすることができる。
【００６２】
また、（例えば、通信可能エリアや電波状況の表示のみではなく、）品質情報を用いて品質情報を関連付けてセルを選択することができる。ここで、セルの選択及び切り替えは、センシング（検出）、セレクション（選択）、切り替え、の順番で行われる。
また、本例では、ある地点における複数のセルの電波状態を網側で管理しており、ある地点において、複数のセルの中から最も良好なセルを抽出することが可能である。なお、セルの候補の数が０又は１である地点が存在する場合があっても、構わない。
【００６３】
こうしたことから、（例えば、一定エリアの電波状態のみを把握するのみではなく、）本例では、複数のセルを比較して最も良好なセルを選択することができ、また、現在において移動局装置が存在する場所（位置情報）と通信品質（品質情報）が把握されるため、その場所で使用することができるシステムの情報を迅速且つ的確に移動局装置へ提供することができ、これにより、例えば、複数あるセル選択システムの有効な選択肢の１つとなり得る。
【００６４】
また、本例では、複数の移動局装置の情報を逐一収集し、一定エリア内（例えば、一定基地局装置内）の情報を平均化して網側に蓄積するようなことができる。これにより、セルの移動場所を簡素化することができる。
また、本例では、不備のある移動局装置を指導する方法として使用することもできる。例えば、一定エリアで繋がりにくい移動局装置の通話エリアを制限することなどができる。
【００６５】
また、本例では、例えば、アプリケーションではなく、通信プロトコルとして実現している。例えば、本例の実施においては、構内無線等の自営系で行うことが現実的である。
また、本例では、品質情報を利用してセルを選択する通信プロトコルを実現することができ、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＬＴＥ（Ｌｏｎｇ  Ｔｅｒｍ  Ｅｖｏｌｕｔｉｏｎ）から１つを選択する場合等の判断材料となり得る。
【００６６】
なお、本例の通信システム（移動通信システム）における移動局装置では、第１の無線部１やＬＣＳ測定部２の機能により位置情報取得手段が構成されており、セル探索部４の機能により探索手段が構成されており、無線品質測定部５の機能により品質情報検出手段が構成されており、位置品質データ作成部６や位置品質データ送受信部９の機能により品質情報送信手段が構成されており、位置品質データ送受信部９の機能により品質情報受信手段が構成されており、セル選択部１０の機能によりセル選択手段が構成されている。
また、本例の通信システム（移動通信システム）における網側の主制御局装置では、網側品質情報受信手段や網側品質情報記憶手段や網側品質情報送信手段を備えており、また、位置範囲記憶手段やデータ加工手段を備えている。
【００６７】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００６８】
１・・第１の無線部、  ２・・ＬＣＳ測定部、  ３・・第２の無線部、  ４、１０２・・セル探索部、  ５、１０３・・無線品質測定部、  ６・・位置品質データ作成部、  ７、１０４・・ベースバンド変復調部、  ８、１０５・・報知情報取得部、  ９・・位置品質データ送受信部、  １０、１０６・・セル選択部、  １１、１０７・・アプリケーションデータ送受信部、  １２、１０８・・主制御部、  １０１・・無線部、
２０１〜２０３・・基地局装置、  ２１１〜２１３・・通信エリア、  ２２１〜２２３・・移動局装置、  ２３１・・網（ネットワーク）、  ２４１・・主制御局装置、
【図１】
2011109401.tif 000003
【図２】
2011109401.tif 000004
【図３】
2011109401.tif 000005
【図４】
2011109401.tif 000006
【図５】
2011109401.tif 000007
【図６】
2011109401.tif 000008
【図７】
2011109401.tif 000009